【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
少なくとも１つの平面内で、それぞれが角度セクタをカバーする複数の指向性信号を送信するように構成された少なくとも１つの送信デバイスであって、前記角度セクタのそれぞれの隣接する対は、論理セクタを作成するために部分的にオーバーラップし、前記複数の指向性信号のそれぞれは、少なくとも、それに関連する前記論理セクタのそれぞれに関する指示を符号化する、送信デバイスと、
少なくとも１つのハードウェア・プロセッサとその上にプログラム命令を記憶された非一時的コンピュータ可読記憶媒体とを含むクライアント・デバイスであって、前記プログラム命令は、
前記クライアント・デバイスに、前記複数の指向性信号のうちの少なくともいくつかを受信させ、
前記受信された指向性信号のそれぞれの信号強度レベル（ＲＳＬ）値を計算し、
２つの最大の前記ＲＳＬ値が（ｉ）前記論理セクタに関連する前記指向性信号の２つに関連し、（ｉｉ）お互いの指定された値範囲内にある時に、前記クライアント・デバイスが前記論理セクタの１つ内に配置されていると判定する
ために前記少なくとも１つのハードウェア・プロセッサによって実行可能である、クライアント・デバイスと
を含むシステム。
【請求項２】
前記少なくとも１つの平面は、水平面および垂直面のうちの１つまたは複数を含む、請求項１に記載のシステム。
【請求項３】
前記クライアント・デバイスは、（ｉ）前記判定および（ｉｉ）前記２つの最大の前記ＲＳＬ値に基づく前記送信デバイスからの距離の計算に少なくとも部分的に基づいて、前記クライアント・デバイスのロケーションを計算するようにさらに構成される、請求項１に記載のシステム。
【請求項４】
前記送信デバイスの２つ以上を含み、前記判定は、前記クライアント・デバイスが少なくとも２つの交差する前記論理セクタ内に配置されることを判定することを含み、前記交差する論理セクタのそれぞれは、前記送信デバイスの異なる１つによって送信される、請求項１に記載のシステム。
【請求項５】
前記クライアント・デバイスは、（ｉ）前記判定および（ｉｉ）前記送信デバイスのそれぞれに関連する前記２つの最大のＲＳＬ値に基づく前記送信デバイスのそれぞれからの距離の計算に少なくとも部分的に基づいて、前記クライアント・デバイスのロケーションを計算するようにさらに構成される、請求項４に記載のシステム。
【請求項６】
前記クライアント・デバイスは、前記隣接する対の第２の前記角度セクタに対応する前記２つの最大の前記ＲＳＬ値の一方が、前記第２の角度セクタの外部の前記クライアント・デバイスのロケーションに対応する時に、前記クライアント・デバイスが、前記論理セクタと前記論理セクタを作成する前記隣接する対の第１の前記角度セクタとの間の中点に配置されていると判定するようにさらに構成される、請求項１に記載のシステム。
【請求項７】
前記指向性信号のそれぞれは、前記送信デバイスの識別と、前記指向性信号の識別と、基準方位角に対する相対的な前記指向性信号の前記角度セクタに関する方位角方向データと、Ｕｎｉｆｏｒｍ  Ｒｅｓｏｕｒｃｅ  Ｌｏｃａｔｏｒ（ＵＲＬ）と、前記送信デバイスのロケーション、高度、速度、加速度、および空間方位のうちの１つまたは複数に関する情報とからなる群から選択された情報をさらに符号化する、請求項１に記載のシステム。
【請求項８】
前記クライアント・デバイスは、
前記クライアント・デバイスによって、前記基準方位角に対する相対的な前記クライアント・デバイスの反方位角を計算することと、
前記クライアント・デバイスによって、前記クライアント・デバイスの前記反方位角が（ｉ）前記角度セクタまたは（ｉｉ）前記論理セクタのいずれかの中にあるかどうかを判定することと
によって前記送信デバイスに対する相対的な前記クライアント・デバイスの指す方位を判定するようにさらに構成される、請求項７に記載のシステム。
【請求項９】
少なくとも１つのハードウェア・プロセッサとその上にプログラム命令を記憶された非一時的コンピュータ可読記憶媒体とを含むクライアント・デバイスを動作させることであって、前記プログラム命令は、
前記クライアント・デバイスに、少なくとも１つの送信デバイスによって送信された複数の指向性信号のうちの少なくともいくつかを受信させ、前記送信デバイスは、少なくとも１つの平面内で、それぞれが角度セクタをカバーする前記複数の指向性信号を送信するように構成され、前記角度セクタのそれぞれの隣接する対は、論理セクタを作成するために部分的にオーバーラップし、前記複数の指向性信号のそれぞれは、少なくとも、それに関連する前記論理セクタのそれぞれに関する指示を符号化し、
前記受信された指向性信号のそれぞれの信号強度レベル（ＲＳＬ）値を計算し、
２つの最大の前記ＲＳＬ値が（ｉ）前記論理セクタに関連する前記指向性信号の２つに関連し、（ｉｉ）お互いの指定された値範囲内にある時に、前記クライアント・デバイスが前記論理セクタの１つ内に配置されていると判定する
ために前記少なくとも１つのハードウェア・プロセッサによって実行可能である、動作させること
を含む方法。
【請求項１０】
前記プログラム命令は、さらに、前記クライアント・デバイスに、（ｉ）前記判定および（ｉｉ）前記２つの最大の前記ＲＳＬ値に基づく前記送信デバイスからの距離の計算に少なくとも部分的に基づいて、前記クライアント・デバイスのロケーションを計算させる、請求項９に記載の方法。
【請求項１１】
前記受信は、前記送信デバイスの２つ以上によって送信された複数の指向性信号を受信することを含み、前記判定は、前記クライアント・デバイスが少なくとも２つの交差する論理セクタ内に配置されることを判定することを含み、前記交差する論理セクタのそれぞれは、前記送信デバイスの異なる１つによって送信される、請求項９に記載の方法。
【請求項１２】
前記プログラム命令は、さらに、前記クライアント・デバイスに、（ｉ）前記判定および（ｉｉ）前記送信デバイスのそれぞれに関連する前記２つの最大のＲＳＬ値に基づく前記送信デバイスのそれぞれからの距離の計算に少なくとも部分的に基づいて、前記クライアント・デバイスのロケーションを計算させる、請求項１１に記載の方法。
【請求項１３】
前記プログラム命令は、さらに、前記クライアント・デバイスに、前記隣接する対の第２の前記角度セクタに対応する前記２つの最大の前記ＲＳＬ値の一方が、前記第２の角度セクタの外部の前記クライアント・デバイスのロケーションに対応する時に、前記クライアント・デバイスが、前記論理セクタと前記論理セクタを作成する前記隣接する対の第１の前記角度セクタとの間の中点に配置されていると判定させる、請求項９に記載の方法。
【請求項１４】
前記プログラム命令は、さらに、前記クライアント・デバイスに、
前記クライアント・デバイスによって、前記基準方位角に対する相対的な前記クライアント・デバイスの反方位角を計算することと、
前記クライアント・デバイスによって、前記指向性信号のそれぞれで符号化された情報に基づいて、前記クライアント・デバイスの前記反方位角が（ｉ）前記角度セクタまたは（ｉｉ）前記論理セクタのいずれかの中にあるかどうかを判定することと
によって前記送信デバイスに対する相対的な前記クライアント・デバイスの指す方位を判定させる、請求項１３に記載の方法。
【請求項１５】
それを用いて実施されるプログラム・コードを有する非一時的コンピュータ可読記憶媒体を含むコンピュータ・プログラム製品であって、前記プログラム・コードは、少なくとも１つのハードウェア・プロセッサを含むクライアント・デバイスによって実行される時に、前記クライアント・デバイスに、
少なくとも１つの送信デバイスによって送信された複数の指向性信号のうちの少なくともいくつかを受信させ、少なくとも１つの平面内で、それぞれが角度セクタをカバーする前記複数の指向性信号を送信するように構成され、前記角度セクタのそれぞれの隣接する対は、論理セクタを作成するために部分的にオーバーラップし、前記複数の指向性信号のそれぞれは、少なくとも、それに関連する前記論理セクタのそれぞれに関する指示を符号化し、
前記受信された指向性信号のそれぞれの信号強度レベル（ＲＳＬ）値を計算させ、
２つの最大の前記ＲＳＬ値が（ｉ）前記論理セクタに関連する前記指向性信号の２つに関連し、（ｉｉ）お互いの指定された値範囲内にある時に、前記クライアント・デバイスが前記論理セクタの１つ内に配置されていると判定させる
コンピュータ・プログラム製品。
【請求項１６】
前記プログラム・コードは、さらに、前記クライアント・デバイスに、（ｉ）前記判定および（ｉｉ）前記２つの最大の前記ＲＳＬ値に基づく前記送信デバイスからの距離の計算に少なくとも部分的に基づいて、前記クライアント・デバイスのロケーションを計算させる、請求項１５に記載のコンピュータ・プログラム製品。
【請求項１７】
前記受信は、前記送信デバイスの２つ以上によって送信された複数の指向性信号を受信することを含み、前記判定は、前記クライアント・デバイスが少なくとも２つの交差する論理セクタ内に配置されることを判定することを含み、前記交差する論理セクタのそれぞれは、前記送信デバイスの異なる１つによって送信される、請求項１５に記載のコンピュータ・プログラム製品。
【請求項１８】
前記プログラム・コードは、さらに、前記クライアント・デバイスに、（ｉ）前記判定および（ｉｉ）前記送信デバイスのそれぞれに関連する前記２つの最大の前記ＲＳＬ値に基づく前記送信デバイスのそれぞれからの距離の計算に少なくとも部分的に基づいて、前記クライアント・デバイスのロケーションを計算させる、請求項１７に記載のコンピュータ・プログラム製品。
【請求項１９】
前記プログラム・コードは、さらに、前記クライアント・デバイスに、前記隣接する対の第２の前記角度セクタに対応する前記２つの最大の前記ＲＳＬ値の一方が、前記第２の角度セクタの外部の前記クライアント・デバイスのロケーションに対応する時に、前記クライアント・デバイスが、前記論理セクタと前記論理セクタを作成する前記隣接する対の第１の前記角度セクタとの間の中点に配置されていると判定させる、請求項１５に記載のコンピュータ・プログラム製品。
【請求項２０】
前記プログラム・コードは、さらに、前記クライアント・デバイスに、
前記クライアント・デバイスによって、前記基準方位角に対する相対的な前記クライアント・デバイスの反方位角を計算することと、
前記クライアント・デバイスによって、前記指向性信号のそれぞれで符号化された情報に基づいて、前記クライアント・デバイスの前記反方位角が（ｉ）前記方位角セクタまたは（ｉｉ）前記論理セクタのいずれかの中にあるかどうかを判定することと
によって前記送信デバイスに対する相対的な前記クライアント・デバイスの指す方位を判定させる、請求項１９に記載のコンピュータ・プログラム製品。